(57)【要約】【課題】本発明は、蓋付きのボックスファイルに関するものであり、特に、重ね置きの際の強度、及び持ち運びのための取っ手を構成する開口の強度が向上されたボックスファイルを提供することを目的とするのもである。【解決手段】本発明は、前面部と、左右の側面部と、後面部と、後面部の上端に一端が接続された蓋部とを有する蓋付きボックスファイルにおいて、蓋部には他端から延在した突出片を有し、前面部、及び突出片には対向する位置に取っ手用の開口又は開口を形成するためのスリットを有することを特徴とするものである。【選択図】    図１
2018001634.tif 000002
【特許請求の範囲】
【請求項１】
前面部と、左右の側面部と、後面部と、後面部の上端に一端が接続された蓋部とを有する蓋付きボックスファイルにおいて、蓋部には他端から延在した突出片を有し、前面部、及び突出片には対向する位置に取っ手用の開口又は開口を形成するためのスリットを有することを特徴とする蓋付きボックスファイル。
【請求項２】
前記蓋部の突出片の開口又は開口を形成するためのスリットにより形成された開口は、前記前面部の開口よりも上下方向の寸法が小さく、かつ突出片の端部には、前記前面部及び、折り返し部の開口に挿入される係止片を有すること特徴とする請求項１項記載の蓋付きボックスファイル。
【請求項３】
前記側面部には、上端部から延存した側面折り返し部を有すると共に、前記蓋部の左右の端部には、前記側端部の上端に接合する側端係止部を有することを特徴とする請求項１項記載の蓋付きボックスファイル。
【発明の詳細な説明】
【技術分野】
【０００１】
本発明は、蓋付きのボックスファイルに関するものであり、特に、重ね置きが可能であると共に、持ち運ぶための開口を有するボックスファイルに関するものである。
【背景技術】
【０００２】
従来、複数の書類を収納し保存するために、ボックスファイルが用いられている。このボックスファイルには、上面に蓋がないタイプと、上面に蓋を有するタイプがある。
蓋がないタイプは、常時、収納した書類の出し入れがし易いように、前面上端が、後面の上端より低く設けられており、また、持ち運び用の開口が後面に設けられている。
一方、蓋があるタイプは、主に書類の保存を目的としており、上方に重ね置きができるように、前面と後面の上端は同じ高さにしてある。
この蓋があるタイプは、この蓋の端部に挿入片を有し、前面の上端に、この挿入片を挿入するためのスリットが設けられている。
また、後面には、蓋がないタイプと同様の、持ち運び用の開口が設けられている。
【０００３】
更に、特許文献１に示すようなボックスファイルも知られている。
これは、書類の出し入れをする用途に使用する場合は、蓋部をボックスファイルの収容部の内側に折り込み、書類を保管する用途に使用する場合は、蓋を取り出し、ボックスの上面を覆うように配置して使用するものである。
本発明は、上記のボックスファイルの内、蓋があるタイプに関するものである。
【０００４】
【特許文献１】特開平８−３９９８０号
【発明の開示】
【発明が解決しようとする課題】
【０００５】
従来の蓋付きのボックスファイルは、上記の特許文献１も含めて、上方への重ね置きの際の強度と、持ち運びの際の開口の強度が十分でない。
このため、重ね置きの際は蓋が潰れて変形したり、持ち運ぶ際には、開口に亀裂が入ったりすることがあった。
【課題を解決するための手段】
【０００６】
本発明は、請求項１に記載するように、前面部と、左右の側面部と、後面部と、後面部の上端に一端が接続された蓋部とを有する蓋付きボックスファイルにおいて、蓋部には他端から延在した突出片を有し、前面部、及び突出片には、対向する位置に取っ手用の開口又は開口を形成するためのスリットを有することを特徴としている。
【０００７】
また請求項２に記載するように、前記蓋部の突出片の開口又は開口を形成するためのスリットにより形成された開口は、前記前面部の開口よりも上下方向の寸法が小さく、かつ突出片の端部には、前記前面部の開口に挿入される係止片を有すること特徴としている。
また請求項３に記載するように、前記側面部には、上端部から延存した側面折り返し部を有すると共に、前記蓋部の左右の端部には、前記側端部の上端に接合する側端係止部を有することを特徴としている。
【発明の効果】
【０００８】
本発明によれば、ボックスファイルの強度が向上するため、上方に複数重ねて収納する際に、蓋が潰れて変形することを防止することが可能となる。
また持ち運びの際に、開口に亀裂が発生することを防止することが可能となる。
【図面の簡単な説明】
【０００９】
【図１】図１は、本発明の第１の実施例の蓋付きボックスファイルの展開図である。
【図２】図２は、本発明の実施例の蓋付きボックスファイルの蓋を開けた状態を示す斜視図である。
【図３】図３は、本発明の実施例の蓋付きボックスファイルの蓋を閉じた状態を示す斜視図である。
【発明を実施するための最良の形態】
【００１０】
以下、本発明を実施するための最良の形態について、図面を参照して詳細に説明する。
【実施例】
【００１１】
以下、図に沿って本発明の一実施例を説明する。
図１は本発明の一実施例の蓋付きボックスファイルの展開図である。
１はこのボックスファイルの本体、２は前面部、３は右側面部、４は左側面部、５は後面部、６は後面部の上端に一端が連結された蓋部、７は蓋部６の他端から延在した突出片、８は前面部２の上端に一端が連結された折り返し部、９は突出片７の一端に設けられた係止部、１０は左右側端部の上端から延在した側面折り返し部、１１は前面２に設けられた開口、１２は折り返し部８に設けられた開口、１３は突出片７に設けられた開口（開口を形成するためのスリットＡにより形成される開口）、１４は底面部である。
【００１２】
本実施例では、突出片７に設けられた開口１３は、開口１３となる領域の３辺に設けられたスリットＡにより構成されるものであり、通常の状態では、開口１３は塞がれた状態となっている。
蓋部２を閉じて、ボックスファイル本体１を持ち運ぶ際に、このスリットＡで囲まれた領域を他の開口１１，１２内方向に押し込むことで開口１３が形成される。
【００１３】
前面部２、折り返し部８及び、突出片７の対向する位置に設けられた開口１１、１２、１３は、ボックスファイル本体１を持ち運ぶ際の取っ手を構成する。
また、蓋部６からの延長上にある突出片７の開口は、他の開口１１，１２の図中上下方向の寸法が小さく設計されており、取っ手としての適切な開口形状を形成している。
その他の開口１２、１３は、突出片７の端部に設けられた係止部９を挿入するため、上下方向に大きな開口となっている。
これは、開口１２、１３とは別に係止部９を挿入するためのスリットを設ける場合に比べ、製造工程を簡略化できると共に、デザイン性を向上されることを目的としたものである。
【００１４】
前面部２の上端から延在した折り返し部８、左右側面部３，４の上端部から延存した側面折り返し部１０は、夫々、上端部を折り返して２重にすることにより、このボックスファイル１を上下に重ね置きした場合の強度を向上させることを目的として設けられたものである。
【００１５】
更に、蓋部７の左右端には、左右側面部３，４の上端を覆う側端係止部１４が設けられている。
これは、このボックスファイル１を上下に重ね置きした場合の蓋部６の強度を向上させることを目的として設けられたものである。
この係止部１４が、左右側面部３，４の上端に支えられるために、上方からの重量によって、蓋が変形して、ボックスファイル１の内部に落ち込むことが防止される。
従って、本実施例のボックスファイル１の場合は、上述の特許文献１に記載されたボックスファイルのように、書類を出し入れするために、蓋部をボックスファイルの収納部内に折り込むような使用はできない。
【００１６】
また、前面部２、折り返し部８及び、突出片７の対向する位置に設けられた開口１１、１２、１３によって、持ち運ぶための取っ手を形成しているため、ボックスファイル１を持ち運ぶ際の強度が向上する。
このため、開口１１，１２，１３に亀裂が入ることが防止される。
尚、折り返し部８、及びその開口１２は無くてもよい。
【００１７】
底面部１４は、前面部２、左右側面部３，４、及び後面部の下端部から延在した底面折り返し片１５で形成される。
これらの底面折り返し片１５の折り目を細線で記載している。
また、底面折り返し片１５の端部には突起１７が設けられており、この突起１７が、前面部２の下端に設けられたスリット１８に挿入されて、底面折り返し片１５は固定される。
【００１８】
図２、図３に、本実施例の蓋付きボックスファイルの斜視図を示す。
図２には、蓋部６を開けた状態を示し、図３には、蓋部６を閉じた状態を示す。
尚、図１と同じ構成物品には、同じ番号を記している。
本実施例のボックスファイルは、Ａ４サイズ（縦２９７ｍｍ、横２１０ｍｍ）のファイルを収容する大きさである。
また、ボックスファイル本体１は、段ボール紙によって形成されている。
【００１９】
前面部２からの延在部である折り返し部８の開口１２の上辺は、取っ手を構成するために、上端からの上下幅（距離）は、前面部２の開口１１の上辺の上端からの上下幅とほぼ同じ大きさであり、他の辺は、各端部からの距離はやや小さめに設計されている。つまり、開口の面積としては、やや大きめに設けられているため、これらの辺が、前面部２の開口１１から大きく露出して見えることはない。
これはデザイン性を考慮したものである。
図１で示した展開図の、左側面部４端部の、のり代部１６と、前面部２の端部の対向する部分が、接着剤によって接合されて、ボックスファイル本体１が形成される。
【００２０】
本発明は、上記実施例に限定されるものではなく、例えば、取っ手を構成するための開口の形状、大きさ、或は、突出片や係止片等の形状、大きさ等は種々変更可能である。
特に、係止片の開口は、本実施例においては、開口となる領域の３辺に設けられたスリットＡによって形成しているが、通常の開口として形成してもよい。
また、底面部の構造や、組立方法等も、上述の実施例に限定されるものではない。
また、容積もＡ４サイズの用紙の収容に限定されるものではない。
【産業上の利用可能性】
【００２１】
本発明は、上下方向への重ね置きの強度が高められると共に、持ち運びの際の強度が向上された蓋付きボックスファイルを提供するものである。
【符号の説明】
【００２２】
１：ボックスファイル本体
２：前面部
３：右側面部
４：左側面部
５：後面部
６：蓋部
７：突出片
８：折り返し部
１１：前面部の開口
１２：折り返し部の開口
１３：突出片の開口
Ａ：開口を形成するためのスリット
【図１】
2018001634.tif 000003
【図２】
2018001634.tif 000004
【図３】
2018001634.tif 000005